(57)【要約】【課題】バッテリセル同士の隙間を小さくしつつ、バッテリセルの冷却性能を確保できる車載バッテリを提供する。【解決手段】車載バッテリ１は、容器３と、複数の円柱状のバッテリセル２と、冷却手段である水冷管４と、を備える。容器内には、上方にヘッドスペースＧを設けた状態で、低沸点かつ絶縁性を有する冷却媒体Ｌが充填される。バッテリセルは、車両に電気エネルギーを供給し、冷却媒体中に浸漬される。水冷管は、ヘッドスペース内の気体を冷却させる。複数のバッテリセルは、それぞれの中心軸線を上下方向に直交する方向に向けた状態で、千鳥状に配設されている。【選択図】図１
2017220396.tif 000002
【特許請求の範囲】
【請求項１】
上方にヘッドスペースを設けた状態で、低沸点かつ絶縁性を有する冷却媒体が充填された容器と、
前記冷却媒体中に浸漬されるとともに、車両に電気エネルギーを供給する複数の円柱状のバッテリセルと、
前記ヘッドスペース内の気体を冷却させる冷却手段と、備え、
前記複数のバッテリセルは、それぞれの中心軸線を上下方向に直交する単一の方向に向けた状態で千鳥状に配設されていることを特徴とする車載バッテリ。
【請求項２】
前記冷却媒体を循環させる循環装置を備え、
前記循環装置は、
一端開口が前記冷却媒体中における前記複数のバッテリセルの上方に配設されて前記冷却媒体を吸い込み、かつ他端開口が前記冷却媒体中における前記複数のバッテリセルの下方に配設されて前記冷却媒体を吐出する流通管と、
前記一端開口から前記他端開口へと、前記流通管内の前記冷却媒体を流動させる冷媒ポンプと、を有することを特徴とする請求項１に記載の車載バッテリ。
【請求項３】
前記冷却媒体中には、前記複数のバッテリセルを囲繞し、前記流通管の前記他端開口から吐出された前記冷却媒体が、上下方向に直交する方向に拡散するのを抑える流動ガイドが配設されていることを特徴とする請求項２に記載の車載バッテリ。
【請求項４】
前記流動ガイドの下端部に、末広がり状の傾斜部が形成されていることを特徴とする請求項３に記載の車載バッテリ。
【請求項５】
一端が前記複数のバッテリセルに電気的に接続され、かつ他端が前記容器の外部に延出した電線と、
絶縁体により形成され、かつ前記電線が貫いて保持される保持部材と、
前記保持部材よりも前記容器の外部に配設されかつ、前記保持部材を前記容器に固定する固定部材と、
前記容器と前記固定部材との間に挟持されるシール部材と、
を有することを特徴とする請求項１から４のいずれか１項に記載の車載バッテリ。
【請求項６】
前記冷却手段は、前記ヘッドスペース内および前記容器外に延在する水冷管を備えることを特徴とする請求項１から５のいずれか１項に記載の車載バッテリ。
【請求項７】
前記冷却手段は、前記ヘッドスペース内に連通する放熱管を備えることを特徴とする請求項１から６のいずれか１項に記載の車載バッテリ。
【発明の詳細な説明】
【技術分野】
【０００１】
本発明は、車載バッテリに関するものである。
【背景技術】
【０００２】
近年、電気自動車やハイブリットカー等、電気エネルギーを動力とする車両（以下、単に「車両」と記す）の普及が進んでいる。この種の車両に用いられる車載バッテリは、充放電可能なバッテリセルを備えているが、バッテリセルは充放電する際に発熱するため、バッテリセルの冷却手段を備えた車載バッテリが求められている。
バッテリセルの冷却手段として、例えば下記特許文献１では、容器に充填された冷媒液にバッテリセルを浸漬するとともに、冷却媒体をポンプにより循環させる構成が開示されている。
【先行技術文献】
【特許文献】
【０００３】
【特許文献１】特開２０１４−６００８８号公報
【発明の概要】
【発明が解決しようとする課題】
【０００４】
ところで、車載バッテリは多量の電気エネルギーを車両に供給するため、限られた空間内に多くのバッテリセルを配設する必要があり、バッテリセル同士の隙間を充分に確保できない場合がある。
一方、上記特許文献１に記載の構成では、バッテリセル同士の隙間を小さくすると、この隙間を冷媒液が流動しにくくなってバッテリセルの冷却性能が低下する場合がある。
【０００５】
本発明はこのような事情を考慮してなされたもので、バッテリセル同士の隙間を小さくしつつ、バッテリセルの冷却性能を確保できる車載バッテリを提供することを目的とする。
【課題を解決するための手段】
【０００６】
上記課題を解決するために、本発明の車載バッテリは、上方にヘッドスペースを設けた状態で、低沸点かつ絶縁性を有する冷却媒体が充填された容器と、前記冷却媒体中に浸漬されるとともに、車両に電気エネルギーを供給する複数の円柱状のバッテリセルと、前記ヘッドスペース内の気体を冷却させる冷却手段と、備え、前記複数のバッテリセルは、それぞれの中心軸線を上下方向に直交する単一の方向に向けた状態で千鳥状に配設されていることを特徴とする。
【０００７】
本発明の車載バッテリによれば、容器内に低沸点の冷却媒体が充填され、この冷却媒体中にバッテリセルが浸漬されている。これにより、バッテリセルが充放電する際に発した熱を、冷却媒体が奪って気化する。気化した冷却媒体は順次浮上してヘッドスペースに向かい、ヘッドスペース内において冷却手段により冷却され、凝縮して液体に戻る。このように、バッテリセルと冷却手段との間の熱エネルギーの伝達に、冷却媒体の顕熱だけでなく潜熱をも利用することができる。これにより、例えば冷却媒体を気化させず、液体のまま顕熱のみによってバッテリセルと冷却手段との間の熱エネルギーの伝達を行う場合と比較して、冷却媒体による熱エネルギーの伝達効率を向上させることができる。
また、複数の円柱状のバッテリセルが千鳥状に配設されているため、複数のバッテリセル全体のかさ張りを抑えつつ、バッテリセル同士の隙間を確保することができる。気化した冷却媒体は、確保されたバッテリセル同士の隙間を浮上していく。ここで、気化した冷却媒体が浮上するために必要なバッテリセル同士の隙間は、例えば冷却媒体が液体のまま流動するために必要なバッテリセル同士の隙間よりも小さい。このため、本発明によればバッテリセル同士の隙間を小さくしながら、バッテリセルから熱エネルギーを奪って気化した冷却媒体を、冷却手段に向けて確実に移動させることができる。
以上により、本発明によれば、バッテリセル同士の隙間を小さくしつつバッテリセルの冷却性能を確保した車載バッテリを提供することができる。
【０００８】
ここで前記車載バッテリは、前記冷却媒体を循環させる循環装置を備え、前記循環装置は、一端開口が前記冷却媒体中における前記複数のバッテリセルの上方に配設されて前記冷却媒体を吸い込み、かつ他端開口が前記冷却媒体中における前記複数のバッテリセルの下方に配設されて前記冷却媒体を吐出する流通管と、前記一端開口から前記他端開口へと、前記流通管内の前記冷却媒体を流動させる冷媒ポンプと、を有していてもよい。
【０００９】
この場合、車載バッテリが冷却媒体を循環させる循環装置を備え、該循環装置の流通管が、バッテリセルの上方に配設された一端開口から冷却媒体を吸込み、バッテリセルの下方に配設された他端開口から冷却媒体を吐出するため、冷却媒体内に下方から上方へと向かう流れを生じさせることができる。これにより、冷却媒体を確実にバッテリセルに接触させつつ、バッテリセルから熱エネルギーを奪って気化した冷却媒体の浮上を促進して、バッテリセルの冷却効率を高めることができる。
【００１０】
また前記冷却媒体中には、前記複数のバッテリセルを囲繞し、前記流通管の前記他端開口から吐出された前記冷却媒体が、上下方向に直交する方向に拡散するのを抑える流動ガイドが配設されていてもよい。
【００１１】
この場合、流動ガイドが冷却媒体内において複数のバッテリセルを囲繞し、循環装置によって生じた冷却媒体の流れが、上下方向に直交する方向に拡散するのを抑えるため、冷却媒体の流れを千鳥状に配設されたバッテリセル同士の隙間に向かわせることが可能となる。これにより、冷却媒体がバッテリセルに接触しやすくなり、バッテリセルの冷却性能をより向上させることができる。
【００１２】
また、前記流動ガイドの下端部に、末広がり状の傾斜部が形成されていてもよい。
【００１３】
この場合、流動ガイドの下端部において末広がり状に形成された傾斜部により、下方から上方に流動する冷却媒体の流れを、複数のバッテリセルに確実に向かわせることが可能となり、バッテリセルと冷却媒体との接触を促進させて、バッテリセルの冷却をより確実に奏功させることができる。
【００１４】
また前記車載バッテリは、一端が前記複数のバッテリセルに電気的に接続され、かつ他端が前記容器の外部に延出した電線と、絶縁体により形成され、かつ前記電線が貫いて保持される保持部材と、前記保持部材よりも前記容器の外部に配設されかつ、前記保持部材を前記容器に固定する固定部材と、前記容器と前記固定部材との間に挟持されるシール部材と、を有していてもよい。
【００１５】
この場合、容器の外部に延出した電線を通じて、バッテリセルから容器の外部へと電力を取り出すことができるとともに、この電線が保持部材により保持され、この保持部材を容器の外部に配設された固定部材によって容器に固定するとともに、容器と固定部材との間にシール部材が挟持されるため、容器内の圧力の上昇によって冷却媒体が容器外に漏れ出ることを防止することができる。
【００１６】
また、前記冷却手段は、前記ヘッドスペース内および前記容器外に延在する水冷管を備えていてもよい。
【００１７】
この場合、バッテリセルから熱エネルギーを奪って気化し、浮上してヘッドスペース内に到達した冷却媒体を、水冷管によって冷却することにより、冷却媒体を効率よく凝縮させて液体に還元することができる。
【００１８】
また、前記冷却手段は、前記ヘッドスペース内に連通する放熱管を備えていてもよい。
【００１９】
この場合、バッテリセルから熱エネルギーを奪って気化した冷却媒体が、ヘッドスペース内に連通する放熱管内に自ずと入り込み、この放熱管によって熱エネルギーを放出することができる。さらに、冷却媒体が熱エネルギーを奪われて凝縮すると、自重によって落下して冷却媒体の液体層に向かうため、簡易な構成で冷却媒体を冷却して、気体から液体へと還元しつつ、冷却媒体の液体層に戻すことができる。
【発明の効果】
【００２０】
本発明によれば、バッテリセル同士の隙間を小さくしつつバッテリセルの冷却性能を確保できる車載バッテリを提供することができる。
【図面の簡単な説明】
【００２１】
【図１】第１実施形態の車載バッテリの構成を説明する図である。
【図２】図１の車載バッテリのうち、保持部材周辺の拡大図である。
【図３】第２実施形態の車載バッテリの構成を説明する図である。
【発明を実施するための形態】
【００２２】
（第１実施形態）
以下、第１実施形態に係る車載バッテリの構成を、図１および図２を参照しながら説明する。
図１に示すように、車載バッテリ１は、上方にヘッドスペースＧを設けた状態で、低沸点かつ絶縁性を有する冷却媒体Ｌが充填された容器３と、冷却媒体Ｌに浸漬されるとともに、車両に電気エネルギーを供給する複数の円柱状のバッテリセル２と、ヘッドスペースＧ内の気体を冷却させる冷却手段である水冷管４と、を備える。
【００２３】
ここで本実施形態では、複数のバッテリセル２が、それぞれの中心軸線を上下方向に直交する単一の方向に向けた状態で配設されている。以降、複数のバッテリセル２の中心軸線に沿った方向を前後方向といい、前後方向および上下方向に直交する方向を左右方向という。
【００２４】
バッテリセル２としては、例えばリチウムイオン電池や電解コンデンサ等、充放電可能な種々の蓄電デバイスを用いることができる。図１に示すように、複数のバッテリセル２は、冷却媒体Ｌ内において千鳥状に配設されている。なお、「千鳥状」とは、上下方向で隣り合うバッテリセル２の列において、下方に位置するバッテリセル２の上部と、上方に位置するバッテリセル２の下部とが、上下方向において重なっている状態をいう。若しくは、左右方向に隣接する２つのバッテリセルの上方または下方に隣接するバッテリセルが、左右方向においてその２つのバッテリセルの間に配設され、かつ上下方向においてその２つのバッテリセルと重なっている状態をいう。
本実施形態では、冷却媒体Ｌ内にバッテリセル２が１０００個程度直列に接続されている。なお、図１に記載されているバッテリセル２は、図を簡略化するために数を減らして、バッテリセル２同士を接続する電気部品等を省略している。
隣接するバッテリセル２同士の隙間の大きさは、後述するようにバッテリセル２から熱エネルギーを奪って気化した冷却媒体Ｌが通過できる程度とされている。
【００２５】
容器３内に充填する冷却媒体Ｌは低沸点かつ絶縁性である。なお、「低沸点」とは、沸点が１００℃未満であることを指す。このような冷却媒体Ｌとしては、ハイドロフルオロエーテル（例えば３Ｍ社製のＮＯＶＥＣ（登録商標）７１００）などを用いることができる。
なお、本実施形態では後述するように、バッテリセル２と水冷管４との間での熱エネルギーの受け渡しに、冷却媒体Ｌが気化および凝縮する際の潜熱を利用するため、バッテリセル２の充放電の際に発する熱により容易に気化する程度の沸点（例えば５０℃〜７０℃）を有する冷却媒体Ｌを用いるのが好ましい。
【００２６】
容器３は上側部３ａと下側部３ｂとを有し、上側部３ａおよび下側部３ｂはボルト７およびナット８により互いに固定されている。上側部３ａと下側部３ｂとの接触面には、不図示のゴムパッキンが配設されている。これにより、容器３内の圧力の上昇によって、冷却媒体Ｌが上側部３ａと下側部３ｂとの間から容器３の外部に漏れ出るのを防止している。
【００２７】
図１に示すように、車載バッテリ１は、冷却媒体Ｌを循環させる循環装置２０を備えている。循環装置２０は、冷却媒体Ｌ内かつ複数のバッテリセル２の上方に配設された吸込口２２と、冷却媒体Ｌ内かつ複数のバッテリセル２の下方に配設されたヘッダー２１と、を有する。ヘッダー２１の上面には、ヘッダー２１の内部と外部とを連通させる孔状のノズル２１ａが複数形成されている。循環装置２０はさらに、吸込口２２とノズル２１ａとを連通する流通管２３と、吸込口２２からノズル２１ａへと、流通管２３内の冷却媒体Ｌを流動させる冷媒ポンプ２４と、を有する。なお、本実施形態では流通管２３の一端開口は吸込口２２であり、他端開口２３ａはヘッダー２１の下部に連通している。
【００２８】
冷却媒体Ｌ内には、バッテリセル２を囲繞する筒状の流動ガイド２５が配設されている。流動ガイド２５は、循環装置２０のノズル２１ａから流出する冷却媒体Ｌの流れが上方に向かうように、冷却媒体Ｌの流動方向をガイドする。これにより、流通管２３の他端開口２３ａを通してノズル２１ａから吐出された冷却媒体Ｌが、バッテリセル２を避けて左右方向および前後方向に拡散するのを抑えることができる。そして、複数のバッテリセル２同士の隙間に効率よく冷却媒体Ｌを送り込むことができる。
流動ガイド２５の下端部には、下方に向かうに従い漸次複数のバッテリセル２から遠ざかる末広がり状の傾斜部２５ａが形成されている。傾斜部２５ａにより、冷却媒体Ｌを流動ガイド２５の内側へとより確実に流動させることができる。
【００２９】
容器３の外部には、水冷管４内の冷却水を循環させる水冷ポンプ５と、水冷管４内の冷却水を冷却するラジエーター６と、が配設されている。
【００３０】
車載バッテリ１は、一端が容器３の外部に延出した複数の電線９を備える。少なくとも１つの電線９の端部はバッテリセル２に電気的に接続されている。これにより、バッテリセル２の電力を容器３の外部に伝達することができる。なお、温度センサや圧力センサ等の各種センサ若しくはバッテリセル２の制御部等を容器３内に配設し、電線９をこれら容器３内の電気部品に電気的に接続してもよい。
図２に示すように、電線９は保持部材１０を貫通し、保持部材１０に保持されている。保持部材１０は、例えばエポキシ樹脂等の絶縁性を有する材質により形成されている。保持部材１０は、容器３の外部に配設された固定部材１１の貫通孔内に、電線９とともに進入している。電線９と保持部材１０との間、および保持部材１０と固定部材１１との間には隙間が無く、これらの部材は互いに密着している。さらに、固定部材１１はシール部材１３を介して、容器３の下側部３ｂに対してボルト１２により固定されている。シール部材１３としては、例えばゴム製のＯリング等を用いることができる。シール部材１３は、容器３の下側部３ｂと固定部材１１とにより圧縮され、弾性変形している。これにより、容器３内の圧力の上昇によって冷却媒体Ｌが容器３の外部に漏れ出るのを防ぎつつ、電線９を容器３内および容器３外にわたって敷設することができる。
【００３１】
次に、以上のように構成された車載バッテリ１の作用について説明する。
【００３２】
バッテリセル２が充放電することによって発熱すると、バッテリセル２に接触している冷却媒体Ｌがバッテリセル２から熱エネルギーを奪い、昇温して沸点に到達すると気化する。気化した冷却媒体Ｌは、千鳥状に配設された複数のバッテリセル２同士の隙間を順次浮上し、ヘッドスペースＧに到達する。ヘッドスペースＧに到達した冷却媒体Ｌは、水冷管４により冷却されて沸点以下になると凝縮し、自重によって順次落下する。
【００３３】
以上説明したように、本実施形態による車載バッテリ１によれば、容器３内に低沸点の冷却媒体Ｌが充填され、この冷却媒体Ｌ中にバッテリセル２が浸漬されている。これにより、バッテリセル２が充放電する際に発した熱を、冷却媒体Ｌが奪って気化する。気化した冷却媒体Ｌは順次浮上してヘッドスペースＧに向かい、ヘッドスペースＧ内において水冷管４により冷却され、凝縮して液体に戻る。このように、バッテリセル２と水冷管４との間の熱エネルギーの伝達に、冷却媒体Ｌの顕熱だけでなく潜熱をも利用することができる。これにより、例えば冷却媒体Ｌを気化させず、液体のまま顕熱のみによってバッテリセル２と水冷管４との間の熱エネルギーの伝達を行う場合と比較して、冷却媒体Ｌによる熱エネルギーの伝達効率を向上させることができる。
【００３４】
また、複数の円柱状のバッテリセル２が千鳥状に配設されているため、複数のバッテリセル２全体のかさ張りを抑えつつ、バッテリセル２同士の隙間を確保することができる。気化した冷却媒体Ｌは、確保されたバッテリセル２同士の隙間を浮上していく。ここで、気化した冷却媒体Ｌが浮上するために必要なバッテリセル２同士の隙間は、例えば冷却媒体Ｌが液体のまま流動するために必要なバッテリセル２同士の隙間よりも小さい。このため、本実施形態によればバッテリセル２同士の隙間を小さくしながら、バッテリセル２から熱エネルギーを奪って気化した冷却媒体Ｌを、水冷管４に向けて確実に移動させることができる。
以上により、本実施形態によれば、バッテリセル２同士の隙間を小さくしつつバッテリセル２の冷却性能を確保した車載バッテリ１を提供することができる。
【００３５】
また、車載バッテリ１が冷却媒体Ｌを循環させる循環装置２０を備え、循環装置２０が、バッテリセル２の上方に配設された吸込口２２から冷却媒体Ｌを吸込み、バッテリセル２の下方に配設されたノズル２１ａから冷却媒体Ｌを吐出するため、容器３内の冷却媒体Ｌに下方から上方へと向かう流れを生じさせることができる。また、ノズル２１ａが複数配設されていることにより、複数のバッテリセル２の全体に万遍なく冷却媒体Ｌを供給することができる。これにより、冷却媒体Ｌを確実にバッテリセル２に接触させつつ、バッテリセル２から熱エネルギーを奪って気化した冷却媒体Ｌの浮上を促進して、バッテリセル２の冷却効率を高めることができる。
【００３６】
また、流動ガイド２５が冷却媒体Ｌ内において複数のバッテリセル２を囲繞し、循環装置２０によって生じた冷却媒体Ｌの流れが、上下方向に直交する方向に拡散するのを抑えるため、冷却媒体Ｌの流れを、千鳥状に配設されたバッテリセル２同士の隙間に向かわせることが可能となる。これにより、冷却媒体Ｌがバッテリセル２に接触しやすくなり、バッテリセル２の冷却性能をより向上させることができる。
【００３７】
また、流動ガイド２５の下端部に末広がり状に形成された傾斜部２５ａにより、下方から上方に流動する冷却媒体Ｌの流れを複数のバッテリセル２に確実に向けることが可能となり、バッテリセル２と冷却媒体Ｌとの接触を促進させてバッテリセル２の冷却をより確実に奏功させることができる。
【００３８】
また、容器３の外部に延出した電線９を通じて、バッテリセル２から容器３の外部へと電力を取り出すことができるとともに、この電線９が絶縁体により形成された保持部材１０により保持され、この保持部材１０を容器３の外部に配設された固定部材１１によって容器に固定するとともに、容器３と固定部材１１との間にシール部材１３が挟持されるため、容器３内の圧力の上昇によって冷却媒体Ｌが容器３外に漏れ出ることを防止することができる。
【００３９】
また、容器３内のヘッドスペースＧおよび容器外に延在する水冷管４によって、バッテリセル２から熱エネルギーを奪って気化した冷却媒体Ｌを冷却することにより、冷却媒体Ｌを効率よく凝縮させることができる。
【００４０】
（第２実施形態）
次に、本発明に係る第２実施形態について説明するが、第１実施形態と基本的な構成は同様である。このため、同様の構成には同一の符号を付してその説明は省略し、異なる点についてのみ説明する。
本実施形態では、ヘッドスペースＧ内の気体を冷却させる冷却手段のみが異なる。
【００４１】
図３に示すように、本実施形態の車載バッテリ１は、容器３のヘッドスペースＧ内と連通する放熱管３０が、容器３の上端部に配設されている。ヘッドスペースＧ内の気化した冷却媒体Ｌのうち、温度が高く密度が低いものほど放熱管３０内に入り込みやすい。
放熱管３０には複数の放熱フィン３１が設けられており、放熱管３０内の冷却媒体Ｌの熱を効率よく放出することができる。
【００４２】
本実施形態の車載バッテリ１によれば、バッテリセル２が充放電することによって発熱すると、冷却媒体Ｌがバッテリセル２から熱エネルギーを奪い、昇温して沸点に到達すると気化する。気化した冷却媒体Ｌは、千鳥状に配設された複数のバッテリセル２の隙間を順次浮上し、ヘッドスペースＧに到達する。ヘッドスペースＧに到達した冷却媒体Ｌのうち、温度が高く密度が低いものから順次、上方に設けられた放熱管３０内に流入する。放熱管３０内に流入した冷却媒体Ｌは、放熱管３０および放熱フィン３１により熱エネルギーを奪われて冷却され、沸点以下となると凝縮する。凝縮して液体となった冷却媒体Ｌは、自重によって順次放熱管３０から冷却媒体Ｌの液体層に落下する。
【００４３】
この場合、気化した冷却媒体Ｌが、ヘッドスペースＧ内に連通する放熱管３０内に自ずと入り込むとともに、この放熱管３０内で熱エネルギーを奪われて凝縮すると、自重によって落下して冷却媒体Ｌの液体層に向かうため、簡易な構成で冷却媒体Ｌを冷却して、気体から液体へと還元しつつ、冷却媒体Ｌの液体層に戻すことができる。
【００４４】
なお、本発明の技術的範囲は前記実施の形態に限定されるものではなく、本発明の趣旨を逸脱しない範囲において種々の変更を加えることが可能である。
【００４５】
例えば、前記実施形態では、下端部が開口している流動ガイド２５を用いたが、これに限られず、例えば下端部が開口していない有底筒状の流動ガイド２５を用いてもよい。この場合には、流動ガイドの底部とバッテリセル２との間に循環装置２０のヘッダー２１およびノズル２１ａを配設することで、流動ガイド２５内の冷却媒体Ｌをより確実にバッテリセル２同士の隙間に向かわせることができる。
【００４６】
また、前記実施形態では冷却手段として水冷管４若しくは放熱管３０を配設したが、これらの構成はなくてもよい。例えば、容器３の上側部３ａを介して、ヘッドスペースＧ内の気化した冷却媒体Ｌの熱エネルギーを容器３の外部に放出させてもよい。この場合には、容器３の上側部３ａが、ヘッドスペースＧ内の気体を冷却させる冷却手段となる。さらに、容器３の上側部３ａに放熱フィン３１を取り付けて、上側部３ａを介した冷却媒体Ｌの放熱を促進させてもよい。
【００４７】
その他、本発明の趣旨を逸脱しない範囲で、上記した実施の形態における構成要素を周知の構成要素に置き換えることは適宜可能であり、また、上記した実施形態や変形例を適宜組み合わせてもよい。
例えば、第１実施形態と第２実施形態とを組み合わせて、水冷管４および放熱管３０の両者を冷却手段として備えた車載バッテリ１を用いてもよい。
【符号の説明】
【００４８】
１…車載バッテリ、２…バッテリセル、３…容器、４…水冷管（冷却手段）、９…電線、１０…保持部材、１１…固定部材、１３…シール部材、２０…循環装置、２１ａ…ノズル、２２…吸込口（一端開口）、２３…流通管、２３ａ…他端開口、２４…冷媒ポンプ、２５…流動ガイド、２５ａ…傾斜部、３０…放熱管（冷却手段）、Ｇ…ヘッドスペース、Ｌ…冷却媒体
【図１】
2017220396.tif 000003
【図２】
2017220396.tif 000004
【図３】
2017220396.tif 000005